(57)【要約】      （修正有）【課題】押しボタンを押したときにキャラクターの音声が流れる小物入れを提供する。【解決手段】小物入れ１は、キャラクターの形状を有するマスコット部２１が形成された小物入れ本体２０と、押しボタンとして構成された押しボタン型筐体、キャラクターの音声を再生するスピーカ、スピーカに接続されていて押しボタン型筐体が押されたときにキャラクターの音声をスピーカに再生させるように構成された回路基板を有するモジュール３０と、を備え、小物入れ本体２０が、モジュール３０を収納する第１収納部２２と、第１収納部の内部に位置していてマスコット部２１の背部に設けられた第２収納部２３と、を有する。【選択図】図３
0003205837.tif 000002
【実用新案登録請求の範囲】
【請求項１】
キャラクターの音声が流れる小物入れであって、
前記キャラクターの形状を有するマスコット部が形成された小物入れ本体と、
押しボタンとして構成された押しボタン型筐体、前記キャラクターの音声を再生するスピーカ、前記スピーカに接続されていて前記押しボタン型筐体が押されたときに前記キャラクターの音声を前記スピーカに再生させるように構成された回路基板を有するモジュールと、を備え、
前記小物入れ本体が、前記モジュールを収納する第１収納部と、前記第１収納部の内部に位置していて前記マスコット部の背部に設けられた第２収納部と、を有することを特徴とする小物入れ。
【請求項２】
前記回路基板が、前記キャラクターの音声を複数記憶する記憶部と、記憶した前記キャラクターの音声を前記スピーカにランダムに再生させる制御部と、を更に有する、請求項１に記載の小物入れ。
【請求項３】
前記スピーカが前記第２収納部の中で前記マスコット部の正面を向くように配置されている、請求項１に記載の小物入れ。
【請求項４】
前記マスコット部が前記小物入れ本体の正面に立体的に形成されている、請求項１に記載の小物入れ。
【考案の詳細な説明】
【技術分野】
【０００１】
本考案は、キャラクターの音声が流れる小物入れに関する。
【背景技術】
【０００２】
従来、携帯型防犯ブザーとＬＥＤライトを収容したポーチが、例えば特許文献１に開示されている。また、財布のスリ犯罪を未然に防止するために、光感知センサー付きの音声発生電子ユニットを設けた財布が、例えば特許文献２に開示されている。
【先行技術文献】
【特許文献】
【０００３】
【特許文献１】実用新案登録第３１９７９４７号公報
【特許文献２】特開２００１−１３７０３４号公報
【考案の概要】
【考案が解決しようとする課題】
【０００４】
しかしながら、押しボタンを押したときにキャラクターの音声が流れる小物入れは見当たらなかった。
【課題を解決するための手段】
【０００５】
本考案の第１の態様は、キャラクターの音声が流れる小物入れであって、キャラクターの形状を有するマスコット部が形成された小物入れ本体と、押しボタンとして構成された押しボタン型筐体、キャラクターの音声を再生するスピーカ、スピーカに接続されていて押しボタン型筐体が押されたときにキャラクターの音声をスピーカに再生させるように構成された回路基板を有するモジュールと、を備え、小物入れ本体が、モジュールを収納する第１収納部と、第１収納部の内部に位置していてマスコット部の背部に設けられた第２収納部と、を有する、小物入れを提供する。
本考案の第２の態様は、第１の態様において、回路基板が、キャラクターの音声を複数記憶する記憶部と、記憶したキャラクターの音声をスピーカにランダムに再生させる制御部と、を更に有する、小物入れを提供する。
本考案の第３の態様は、第１の態様において、スピーカが第２収納部の中でマスコット部の正面を向くように配置されている、小物入れを提供する。
本考案の第４の態様は、第１の態様において、マスコット部が小物入れ本体に立体的に形成されている、小物入れを提供する。
【考案の効果】
【０００６】
本考案に係る小物入れによれば、押しボタンを押したときにキャラクターの音声が流れる小物入れを提供できる。
【図面の簡単な説明】
【０００７】
【図１】本考案の一実施形態における小物入れの正面図であって、キャラクターの音声を再生するモジュールの位置を示す図である。
【図２】本考案の一実施形態における小物入れの側面図であって、キャラクターの音声を再生するモジュールの位置を示す図である。
【図３】本考案の一実施形態における小物入れの底面図であって、キャラクターの音声を再生するモジュールを収納する第１収納部及び第２収納部を示す図である。
【図４】図３に示す第２収納部の平面図である。
【図５】本考案の一実施形態の小物入れに収納されるモジュールの断面図である。
【図６】本考案の他の実施形態の小物入れの正面図であって、キャラクターの音声を再生するモジュールの位置を示す図である。
【図７】本考案の他の実施形態の小物入れの側面図であって、キャラクターの音声を再生するモジュールの位置を示す図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態における小物入れ１の正面図であり、図２は、本実施形態における小物入れ１の側面図であって、何れもキャラクターの音声を再生するモジュールの位置を示している。図１及び図２に示すように、小物入れ１は、種々の小物を収納するポーチであり、ファスナー１０と、ファスナー１０に取り付けられた小物入れ本体２０と、小物入れ本体２０の内部に収納したモジュール３０と、を有する。
【００１０】
図１及び図２に示すように、小物入れ本体２０は、布及び綿等からなる縫製物であり、図示しないものの、種々の小物を収納する小物収納部を有する。小物入れ本体２０の正面には、玉子を模したキャラクターの形状を有するマスコット部２１が立体的に形成されている。なお、他の実施形態では、マスコット部２１が平面的に形成されていてもよく、例えば小物入れ本体２０の正面に印刷されていてもよいし、又は刺繍されていてもよい。
【００１１】
図３は、本実施形態における小物入れ１の底面図であって、キャラクターの音声を再生するモジュール３０を収納する第１収納部２２及び第２収納部２３を示す図である。図３に示すように、小物入れ本体２０の底部には、小物を収納する小物収納部とは別に、モジュール３０を収納するための第１収納部２２が形成されており、第１収納部２２の開口部２２ａには、ファスナー２４が設けられている。さらに、第１収納部２２の内部には、モジュール３０を収納する第２収納部２３が形成されている。第２収納部２３は、マスコット部２１の背部に設けられている。
【００１２】
図４は、図３に示す第２収納部２３の平面図である。図４に示すように、第２収納部２３の開口部２３ｃには、面ファスナー部分２３ａと、面ファスナー部分２３ａに被せる被せ部分２３ｂとが設けられていて、モジュール３０を取り出して容易に電池交換できるように構成されている。
【００１３】
図５は、本実施形態の小物入れ１に収納されるモジュール３０の断面図である。図５に示すように、モジュール３０は、押しボタンとして構成される押しボタン型筐体３１と、キャラクターの音声を再生するスピーカ３２と、スピーカ３２に接続されていて押しボタン型筐体３１が押されたときにスピーカ３２にキャラクターの音声を再生させるように構成された回路基板３３と、回路基板３３に接続されていて回路基板３３に電源を供給するボタン電池３４と、を有する。
【００１４】
押しボタン型筐体３１は、第１筐体３１ａと、第１筐体３１ａを受容する第２筐体３１ｂと、第１筐体３１ａ及び第２筐体３１ｂの間に配設されたばね３１ｃと、を有している。ばね３１ｃの一方の端部には、回路基板３３の図示しないスイッチが当接していて、第１筐体３１ａがユーザにより押されると、付勢されたばね３１ｃが回路基板３３の図示しないスイッチを投入するように押しボタン型筐体３１が構成されている。
【００１５】
回路基板３３は、図示しないものの、マイクロコンピュータを有しており、マイクロコンピュータは、キャラクターの音声を１０種類記憶する記憶部と、キャラクターの音声をスピーカ３２にランダムに再生させる制御部と、を有している。ユーザが押しボタン型筐体３１を押すと、図示しないスイッチを投入された回路基板３３は、キャラクターの音声をスピーカ３２にランダムに再生させる。
【００１６】
スピーカ３２で再生されたキャラクターの音声は、押しボタン型筐体３１の天面（第１筐体３１ａの頂面）に形成された複数の音穴３５を通って流れる。あたかもキャラクターが喋っているかのように見せるため、スピーカ３２は、第２収納部２３の中でマスコット部２１の正面を向くように配置される。
【００１７】
図１及び図５を参照して、モジュール３０が音声を再生する手順について説明する。ユーザがマスコット部２１を押すと、マスコット部２１の背部に収納された押しボタン型筐体３１が押され、回路基板３３が作動する。回路基板３３は、例えば記憶されたキャラクターの音声「どうぞ。」をスピーカ３２に再生させる。
【００１８】
ここで、本考案の作用効果について説明する。本考案に係る小物入れによれば、押しボタンを押したときにキャラクターの音声が流れる小物入れを提供できる。スピーカ３２は、第２収納部２３の中でマスコット部２１の正面を向くように配置されているため、あたかもキャラクターが喋っているかのように見える小物入れ１を提供できる。また、マスコット部２１は、立体的に形成されていて、押しボタンとして構成されたモジュール３０の位置を容易に把握できるとともに、押し易い形状となっている。
【００１９】
次に、本考案に係る小物入れの他の実施形態について説明する。図６及び図７は、本考案の他の実施形態の小物入れの正面図及び側面図であって、キャラクターの音声を再生するモジュールの位置を示す図である。図６及び図７に示すように、小物入れ２は、貨幣を収納する財布であり、ガマ口４０と、ガマ口４０に取り付けられた小物入れ本体５０と、小物入れ本体５０の内部に収納したモジュール３０と、を有する。
【００２０】
小物入れ本体５０は、布及び綿等からなる縫製物であり、図示しないものの、貨幣を収納する貨幣収納部を有する。小物入れ本体５０の正面には、玉子を模したキャラクターの形状を有するマスコット部５１が立体的に形成されている。マスコット部５１の背部に収納されるモジュール３０自体の構成及びモジュール３０を収納する第１収納部及び第２収納部の構成については、図３〜図５に示す構成と同様である。
【００２１】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００２２】
１    小物入れ
２０    小物入れ本体
２１    マスコット部
２２    第１収納部
２３    第２収納部
３０    モジュール
３１    押しボタン型筐体
３２    スピーカ
３３    回路基板
【図１】
0003205837.tif 000003
【図２】
0003205837.tif 000004
【図３】
0003205837.tif 000005
【図４】
0003205837.tif 000006
【図５】
0003205837.tif 000007
【図６】
0003205837.tif 000008
【図７】
0003205837.tif 000009